(57)【要約】【課題】  複数の肥料袋等の合成樹脂製袋を容易にかつ連続的に巻き取ることができる袋巻き取り装置を提供すること。【解決手段】  複数の合成樹脂製袋Ｆ１を巻き取る巻き取り軸部４と、該巻き取り軸部４を回転駆動するモータ５と、巻き取り軸部４下に設置され該巻き取り軸部４に向けて上下動可能に付勢された誘導板６と、巻き取り軸部４上に平行に配されて上下動可能かつ回転可能に設置されていると共に該巻き取り軸部４に上から荷重を加えて押さえるローラ部７とを備えている。【選択図】  図１
2012111613.tif 000002
【特許請求の範囲】
【請求項１】
複数の合成樹脂製袋を巻き取る巻き取り軸部と、
該巻き取り軸部を回転駆動するモータと、
前記巻き取り軸部下に設置され該巻き取り軸部に向けて上下動可能に付勢された誘導板と、
前記巻き取り軸部上に平行に配されて上下動可能かつ回転可能に設置されていると共に該巻き取り軸部に上から荷重を加えて押さえるローラ部とを備えていることを特徴とする袋巻き取り装置。
【請求項２】
請求項１に記載の袋巻き取り装置において、
前記巻き取り軸部が、心棒部材と、
該心棒部材の外周に互いに対向状態に取り付けられ該心棒部材を挟んだ状態で互いの側部間に隙間が生じる一対の半割筒部材とを備えていることを特徴とする袋巻き取り装置。
【請求項３】
請求項１または２に記載の袋巻き取り装置において、
前記ローラ部の外周面に、前記巻き取り軸部に巻き取られた前記合成樹脂製袋を突き刺し可能な突起部が複数形成されていることを特徴とする袋巻き取り装置。
【請求項４】
請求項１から３のいずれか一項に記載の袋巻き取り装置において、
前記誘導板が、前方下方に向けて傾斜して設置され、
該誘導板の前方下部に前記合成樹脂製袋から出た残り粉を回収する回収部が設けられていることを特徴とする袋巻き取り装置。
【請求項５】
請求項４に記載の袋巻き取り装置において、
前記回収部に、回収された前記残り粉を吸い込む吸引集塵機が接続されていることを特徴とする袋巻き取り装置。
【発明の詳細な説明】
【技術分野】
【０００１】
本発明は、例えば、使用済みの肥料袋等の合成樹脂製袋を巻き取って束にすることができる袋巻き取り装置に関する。
【背景技術】
【０００２】
近年、ＰＥ（ポリエチレン）等の合成樹脂製の廃棄物を油化する技術が種々提案され開発されているが、農業等で大量に使用され廃棄される合成樹脂製の肥料袋等を油化処理して燃料として有効利用することが考えられている。この合成樹脂で作製された使用済みの肥料袋等を油化処理する場合、複数の袋をそのままの状態で油化処理装置に入れるとかさばるため、できるだけまとめた状態で処理したいという要望がある。
従来、このような使用済みの袋をまとめる専用の装置は無いが、例えば特許文献１には、連続した袋体を巻き取りリールに巻き取って巻き取り状連続包装体とする技術が提案されている。
【先行技術文献】
【特許文献】
【０００３】
【特許文献１】特開平１１−２２７９９３号公報
【発明の概要】
【発明が解決しようとする課題】
【０００４】
上記従来の技術において、以下の課題が残されている。
すなわち、複数の使用済みの肥料袋等をまとめる方法として、円筒状に巻き取ってまとめることが考えられるが、上記従来の特許文献１に記載の巻き取り技術では、連続している袋体を巻き取りリールに巻回することは容易であるが、互いに分離している複数の使用済みの袋を巻き取りリール等に単に巻き取ろうとすると、緩んでしまい連続的に巻き取ることが困難であるという不都合があった。
【０００５】
本発明は、上記従来の問題に鑑みてなされたもので、複数の肥料袋等の合成樹脂製袋を容易にかつ連続的に巻き取ることができる袋巻き取り装置を提供することを目的とする。
【課題を解決するための手段】
【０００６】
本発明は、前記課題を解決するために以下の構成を採用した。すなわち、本発明にかかる袋巻き取り装置は、複数の合成樹脂製袋を巻き取る巻き取り軸部と、該巻き取り軸部を回転駆動するモータと、前記巻き取り軸部下に設置され該巻き取り軸部に向けて上下動可能に付勢された誘導板と、前記巻き取り軸部上に平行に配されて上下動可能かつ回転可能に設置されていると共に該巻き取り軸部に上から荷重を加えて押さえるローラ部とを備えていることを特徴とする。
【０００７】
この袋巻き取り装置では、巻き取り軸部下に設置され該巻き取り軸部に向けて上下動可能に付勢された誘導板と、巻き取り軸部に上から荷重を加えて押さえるローラ部とを備えているので、誘導板とローラ部とによって上下から押さえながら合成樹脂製袋を巻き取るので、複数の合成樹脂製袋を互いに挟み込みながら連続して巻き取ることができる。すなわち、誘導板が巻き取り軸部下に設置され該巻き取り軸部に向けて上下動可能に付勢されているので、巻き取り軸部に巻き取られる合成樹脂製袋が下から誘導板に押さえられて下方に垂れず、誘導板にガイドされながら巻き取られることで、外れ難くすると共に巻き取り状態が緩むことを防止できる。また、１枚の合成樹脂製袋が巻き取られる最中にその合成樹脂製袋の誘導板上の端部と巻き取り軸部との間に次の合成樹脂製袋の端部を差し入れることで、続けて別の合成樹脂製袋を、前の合成樹脂製袋に挟んだ状態で巻き取ることができ、連続して複数の合成樹脂製袋を巻き取ることができる。さらに、ローラ部が、巻き取り軸部上に平行に配されて上下動可能かつ回転可能に設置されていると共に該巻き取り軸部に上から荷重を加えて押さえるので、巻き取った合成樹脂製袋が緩まず、きれいにかつ小径に巻回される。
【０００８】
また、本発明の袋巻き取り装置は、前記巻き取り軸部が、心棒部材と、該心棒部材の外周に互いに対向状態に取り付けられ該心棒部材を挟んだ状態で互いの側部間に隙間が生じる一対の半割筒部材とを備えていることを特徴とする。
すなわち、この袋巻き取り装置では、巻き取り軸部が、心棒部材と、該心棒部材の外周に互いに対向状態に取り付けられ該心棒部材を挟んだ状態で互いの側部間に隙間が生じる一対の半割筒部材とを備えているので、複数の合成樹脂製袋を巻き取った後、心棒部材を一対の半割筒部材から引き抜くと、隙間を介して対向していた一対の半割筒部材の外径が中の心棒部材が無くなることで小さくなり、複数の合成樹脂製袋を巻き取った円筒状袋束から、容易に一対の半割筒部材を抜き出すことができる。したがって、巻き取る際に使用した心棒部材や半割筒部材が容易に外れて、そのまま油化処理装置に投入可能な円筒状袋束を得ることができる。
【０００９】
また、本発明の袋巻き取り装置は、前記ローラ部の外周面に、前記巻き取り軸部に巻き取られた前記合成樹脂製袋を突き刺し可能な突起部が複数形成されていることを特徴とする。
すなわち、この袋巻き取り装置では、ローラ部の外周面に、巻き取り軸部に巻き取られた合成樹脂製袋を突き刺し可能な突起部が複数形成されているので、巻き取り軸部の回転に応じて回転するローラ部が、巻き取り中の合成樹脂製袋を突起部で突き刺し、複数の孔を開けることができる。このため、巻き取られた合成樹脂製袋に開けられた複数の孔によって袋内の空気抜きを行うことができ、より小径に合成樹脂製袋を巻き付けることができる。また、巻き取った合成樹脂製袋に多数の孔が開いているので、効率的に油化処理を行うことができる。
【００１０】
また、本発明の袋巻き取り装置は、前記誘導板が、前方下方に向けて傾斜して設置され、該誘導板の前方下部に前記合成樹脂製袋から出た残り粉を回収する回収部が設けられていることを特徴とする。
すなわち、この袋巻き取り装置では、誘導板が、前方下方に向けて傾斜して設置され、該誘導板の前方下部に合成樹脂製袋から出た残り粉を回収する回収部が設けられているので、例えば使用済みの肥料袋等を巻き取る場合、閉じられた端部を巻き取り開始側にして巻き取ると、開いた端部が誘導板の下方側に向いて巻き取られると共に、内部に残った残り粉が開口端部から出て誘導板を滑り落ち、回収部に回収される。したがって、合成樹脂製袋に肥料等の残り粉が残っていても巻き取り中に多くを回収部にて回収でき、巻き取った合成樹脂製袋を油化処理する際に、不純物の混入を抑制することができる。
【００１１】
さらに、本発明の袋巻き取り装置は、前記回収部に、回収された前記残り粉を吸い込む吸引集塵機が接続されていることを特徴とする。
すなわち、この袋巻き取り装置では、回収部に、回収された残り粉を吸い込む吸引集塵機が接続されているので、吸引集塵機によって回収部の残り粉を吸い込んで飛散等を防止することができる。
【発明の効果】
【００１２】
本発明によれば、以下の効果を奏する。
すなわち、本発明の袋巻き取り装置によれば、巻き取り軸部下に設置され該巻き取り軸部に向けて上下動可能に付勢された誘導板と、巻き取り軸部に上から荷重を加えて押さえるローラ部とを備えているので、誘導板とローラ部とによって上下から押さえながら合成樹脂製袋を巻き取るので、複数の合成樹脂製袋を互いに挟み込みながら連続して巻き取ることができる。したがって、本発明の袋巻き取り装置によって、複数の使用済みの肥料袋等を巻き取ることで、円筒状袋束としてまとめることができ、狭いスペースでも効率的に多くを保管可能であると共に、かさばらずに油化処理装置へ容易に投入することができる。
【図面の簡単な説明】
【００１３】
【図１】本発明に係る袋巻き取り装置の一実施形態を示す正面図である。
【図２】本実施形態において、袋巻き取り装置を示す平面図であるである。
【図３】本実施形態において、袋巻き取り装置を示す左側面図であるである。
【図４】本実施形態において、袋巻き取り装置を示す右側面図であるである。
【図５】本実施形態において、一対の半割円筒部材を示す斜視図である。
【図６】本実施形態において、巻き取り軸部に合成樹脂製袋が巻き取られて円筒状袋束となった状態を示す斜視図である。
【図７】本実施形態において、取っ手部を外したローラ部を示す斜視図である。
【図８】本実施形態において、合成樹脂製袋の巻き取り方法を示す説明図である。
【図９】本実施形態において、合成樹脂製袋を巻き取って作製した円筒状袋束を示す斜視図である。
【発明を実施するための形態】
【００１４】
以下、本発明における袋巻き取り装置の一実施形態を、図１から図９に基づいて説明する。なお、以下の説明に用いる図面では、各部材を認識可能な大きさとするために縮尺を適宜変更している。
【００１５】
本実施形態における袋巻き取り装置１は、図１から図４に示すように、設置台２と、該設置台２上の一対の支持柱部３に架け渡されて設けられていると共に例えば使用済みの肥料袋等の複数の合成樹脂製袋Ｆ１を巻き取る巻き取り軸部４と、該巻き取り軸部４を回転駆動するモータ５と、巻き取り軸部４下に設置され該巻き取り軸部４に向けて上下動可能に付勢された誘導板６と、巻き取り軸部４上に平行に配されて上下動可能かつ回転可能に設置されていると共に該巻き取り軸部４に上から荷重を加えて押さえるローラ部７とを備えている。
【００１６】
上記巻き取り軸部４は、図５および図６に示すように、心棒部材４ａと、該心棒部材４ａの外周に互いに対向状態に取り付けられ該心棒部材４ａを挟んだ状態で互いの側部間に隙間が生じる一対の半割筒部材４ｂとを備えている。
上記一対の半割筒部材４ｂは、断面正方形の四角筒を対角線上で軸方向に沿って半割した部材である。一対の半割筒部材４ｂの一方は、一端部が半割されておらず、四角筒状部４ｃとなっている。
なお、半割筒部材の他の形態としては、断面円形の円筒を半割した部材などを用いても構わない。
【００１７】
上記設置台２上には、互いに離間して上記一対の支持柱部３が立設され、一方の支持柱部３に巻き取り軸部４の一端部が回転可能に支持されていると共に、巻き取り軸部４の他端部が他方の支持柱部３を通してモータ５の回転軸５ａに取り付けられている。上記支持柱部３は、隣接して立設した一対の柱部材３ａと、これら柱部材３ａの間に架け渡されて固定された連結棒３ｂとで構成されている。なお、一方の支持柱部３の連結棒３ｂ上に巻き取り軸部４の一端部が回転可能に支持されている。
【００１８】
また、設置台２上の一方の支持柱部３側には、巻き取り軸部４の軸方向への移動を規制するストッパ機構８が設置されている。該ストッパ機構８は、設置台２上に立設されたレール部８ａと、該レール部８ａ上に巻き取り軸部４に向けてスライド可能に支持されたコ字状部材８ｂとを備えている。該コ字状部材８ｂは、一端が一対の支持柱部３の内側に挿入可能であり、挿入時に、一端が一対の半割筒部材４ｂの端部に当接して抜け止め可能になっている。
【００１９】
上記モータ５は、設置台２上に設けたモータ支持台５ｂ上に設置され、巻き取り軸部４の他端部に取り付けられる回転軸５ａを備えている。該回転軸５ａには、一対の半割筒部材４ｂの端部が抜き差し可能にはめ込まれる断面正方形の孔部（図示略）が設けられている。
【００２０】
上記ローラ部７は、軸部材７ａと、該軸部材７ａの外周に設けられた金属製のローラ本体７ｂとを備え、一対の柱部材３ａの間に軸部材７ａの端部を上部から挿入して、一対の支持柱部３間に架け渡される。
軸部材７ａの両端には、軸部材７ａを回転可能に支持する一対の支持板７ｃの下部が取り付けられ、一対の支持板７ｃの上部間には、棒状の取っ手部７ｄが架け渡されている。
【００２１】
したがって、この取っ手部７ｄを持ち上げることで、ローラ部７を上方に浮かせて巻き取られた合成樹脂製袋Ｆ１（円筒状袋束Ｆ２）から離間させることができる。なお、柱部材３ａの上端には段差部３ｃが設けられており、取っ手部７ｄを持ち上げて段差部３ｃに引っかけることで、ローラ部７を浮かせた状態を保持可能になっている。したがって、この状態で、巻き取り軸部４の脱着等が可能になる。
上記ローラ部７のローラ本体７ｂの外周面には、図７に示すように、巻き取り軸部４に巻き取られた合成樹脂製袋Ｆ１を突き刺し可能な突起部７ｅが複数形成されている。
【００２２】
また、一方の支持柱部３の柱部材３ａの上部には、スプリング９の一端が取り付けられていると共に、スプリング９の他端が誘導板６の上部に取り付けられている。したがって、上記誘導板６は、スプリング９の付勢力によって巻き取り軸部４の下側に上面を押し付けるようにして、前方下方に向けて傾斜して設置されている。
【００２３】
また、誘導板６の前方下部には、図８に示すように、合成樹脂製袋Ｆ１から出た残り粉Ｐを回収する上部が開口した箱状の回収部１０が設けられている。
上記回収部１０には、回収された残り粉Ｐを吸い込む吸引集塵機１１が接続されている。該吸引集塵機１１は、吸い込みチューブ１１ａを介して回収部１０の底部に接続され、設置台２の下部に設置されている。
【００２４】
次に、本実施形態の袋巻き取り装置１を用いて、合成樹脂製袋Ｆ１として使用済みの肥料袋を巻き取り方法について、図８および図９を参照して説明する。
【００２５】
まず、巻き取り軸部４の一対の半割筒部材４ｂの外周に、１枚目の合成樹脂製袋Ｆ１の閉じた端部側を予め巻き付けておく。この状態で、モータ５を駆動して巻き取り軸部４を巻き付け方向に回転させる。このとき、誘導板６が巻き取り軸部４下に設置され該巻き取り軸部４に向けて上下動可能に付勢されているので、巻き取り軸部４に巻き取られる合成樹脂製袋Ｆ１が下から誘導板６に押さえられて下方に垂れず、誘導板６にガイドされながら巻き取られることで、外れ難くすると共に巻き取り状態が緩むことを防止できる。
【００２６】
また、１枚の合成樹脂製袋Ｆ１が巻き取られる最中にその合成樹脂製袋Ｆ１の誘導板６上の端部と巻き取り軸部４との間に次の合成樹脂製袋Ｆ１の閉じた端部を差し入れる。これにより、続けて別の合成樹脂製袋Ｆ１を、前の合成樹脂製袋Ｆ１に挟んだ状態で巻き取ることができ、連続して複数の合成樹脂製袋Ｆ１を巻き取ることができる。
【００２７】
さらに、ローラ部７が、巻き取り軸部４上に平行に配されて上下動可能かつ回転可能に設置されていると共に該巻き取り軸部４に上から荷重を加えて押さえるので、巻き取った合成樹脂製袋Ｆ１が緩まず、きれいにかつ小径に巻回される。また、ローラ本体７ｂの外周面に設けた複数の突起部７ｅが、ローラ部７の自重によって合成樹脂製袋Ｆ１に押し付けられて突き刺し、合成樹脂製袋Ｆ１に複数の孔Ｈが開けられる。
【００２８】
なお、ストッパ機構８のコ字状部材８ｂによって一対の半割筒部材４ｂおよび巻き取られた合成樹脂製袋Ｆ１（円筒状袋束Ｆ２）の端部の軸方向への移動が規制されているので、回転時に抜けて外れることはない。
また、合成樹脂製袋Ｆ１を巻き取る際に、誘導板６上で開口端部が下方側に配されるため、内部の残り粉Ｐが開口端部から出て、傾斜した誘導板６上を滑り落ちて回収部１０内に回収され、さらに吸引集塵機１１によって吸引される。
【００２９】
このように、複数の合成樹脂製袋Ｆ１を連続して巻き取り、例えば７０〜８０枚の合成樹脂製袋Ｆ１を巻き取って円筒状袋束Ｆ２とした状態で、最後に巻き取った合成樹脂製袋Ｆ１の端部を緩まないようにテープ１２で固定する。
次に、ローラ部７を上方に浮かすまたは上方から取り外すと共に、ストッパ機構８のコ字状部材８ｂをスライドさせて半割筒部材４ｂの軸方向への移動規制を解除する。そして、一対の半割筒部材４ｂの端部からモータ５の回転軸５ａを取り外し、巻き取り軸部４と共に円筒状袋束Ｆ２を一対の支持柱部３から取り外す。
【００３０】
取り外した後、心棒部材４ａを一対の半割筒部材４ｂの間から引き抜く。このとき、心棒部材４ａを一対の半割筒部材４ｂから引き抜くと、側部の隙間を介して対向していた一対の半割筒部材４ｂの外径が中の心棒部材４ａが無くなることで小さくなると共に、円筒状袋束Ｆ２の内側と一対の半割筒部材４ｂとの間に隙間ができる。この状態で、円筒状袋束Ｆ２から一対の半割筒部材４ｂを抜き出す。このように半割筒部材４ｂを取り外して、図９に示すように、複数の合成樹脂製袋Ｆ１を巻き取った円筒状袋束Ｆ２のみを得ることができる。
【００３１】
このように本実施形態の袋巻き取り装置１では、巻き取り軸部４下に設置され該巻き取り軸部４に向けて上下動可能に付勢された誘導板６と、巻き取り軸部４に上から荷重を加えて押さえるローラ部７とを備えているので、誘導板６とローラ部７とによって上下から押さえながら合成樹脂製袋Ｆ１を巻き取るので、複数の合成樹脂製袋Ｆ１を互いに挟み込みながら連続して巻き取ることができる。
【００３２】
また、巻き取り軸部４が、心棒部材４ａと、該心棒部材４ａの外周に互いに対向状態に取り付けられ該心棒部材４ａを挟んだ状態で互いの側部間に隙間が生じる一対の半割筒部材４ｂとを備えているので、複数の合成樹脂製袋Ｆ１を巻き取った後、心棒部材４ａを一対の半割筒部材４ｂから引き抜くと、複数の合成樹脂製袋Ｆ１を巻き取った円筒状袋束Ｆ２から、容易に一対の半割筒部材４ｂを抜き出すことができる。したがって、巻き取る際に使用した心棒部材４ａや半割筒部材４ｂが容易に外れて、そのまま油化処理装置に投入可能な円筒状袋束Ｆ２を得ることができる。
【００３３】
また、ローラ部７の外周面に、巻き取り軸部４に巻き取られた合成樹脂製袋Ｆ１を突き刺し可能な突起部７ｅが複数形成されているので、巻き取り中の合成樹脂製袋Ｆ１を突起部７ｅで突き刺し、複数の孔Ｈを開けることで、袋内の空気抜きを行うことができ、より小径に合成樹脂製袋Ｆ１を巻き付けることができる。また、巻き取った合成樹脂製袋Ｆ１（円筒状袋束Ｆ２）に多数の孔Ｈが開いているので、効率的に油化処理を行うことができる。
【００３４】
また、誘導板６が、前方下方に向けて傾斜して設置され、該誘導板６の前方下部に合成樹脂製袋Ｆ１から出た残り粉Ｐを回収する回収部１０が設けられているので、合成樹脂製袋Ｆ１に肥料等の残り粉が残っていても巻き取り中に多くを回収部１０にて回収でき、巻き取った合成樹脂製袋Ｆ１を油化処理する際に、不純物の混入を抑制することができる。
さらに、回収部１０に、回収された残り粉Ｐを吸い込む吸引集塵機１１が接続されているので、吸引集塵機１１によって回収部１０の残り粉Ｐを吸い込んで飛散等を防止することができる。
【００３５】
なお、本発明は上記実施形態に限定されるものではなく、本発明の趣旨を逸脱しない範囲において種々の変更を加えることが可能である。
例えば、上記実施形態では、複数の合成樹脂製袋Ｆ１を連続して巻き取り、円筒状袋束Ｆ２とした状態で、最後に巻き取った合成樹脂製袋Ｆ１の端部を緩まないようにテープ１２で固定しているが、巻き取った合成樹脂製袋Ｆ１の端部に半田ごて等を押し当てて局所的に溶融させると共にその部分で積層された合成樹脂製袋Ｆ１を互いに溶着させて緩まないようにしても構わない。
【産業上の利用可能性】
【００３６】
本発明にかかる袋巻き取り装置は、特に、使用済みの肥料袋等の合成樹脂製袋を多数巻き取って円筒状袋束とし、油化処理装置に投入容易な燃料とするような分野において有用である。
【符号の説明】
【００３７】
１…袋巻き取り装置、４…巻き取り軸部、４ａ…心棒部材、４ｂ…半割筒部材、５…モータ、６…誘導板、７…ローラ部、７ｅ…突起部、１０…回収部、１１…吸引集塵機、Ｆ１…合成樹脂製袋、Ｆ２…円筒状袋束、Ｐ…残り粉
【図１】
2012111613.tif 000003
【図２】
2012111613.tif 000004
【図３】
2012111613.tif 000005
【図４】
2012111613.tif 000006
【図５】
2012111613.tif 000007
【図６】
2012111613.tif 000008
【図７】
2012111613.tif 000009
【図８】
2012111613.tif 000010
【図９】
2012111613.tif 000011